(57)【要約】【課題】  通学や通勤時、また旅行や買い物などで日常使用されるリュックサックにスリなどに対する防犯機能を持たせ、かつ、一つのリュックサックを三通りに使用可能にするために背負い紐に長さ調節機構を設けた多機能防犯リュックサックを提供する。【解決手段】  リュックサックの開口部を、背負った際に背中と接面するバッグ本体の背面部のみに設け、バッグ本体の正面部には一切の出し入れ口などを設けず、かつ、背負い紐には長さ調節機構を設け、紐の最長時にはリュックサックやショルダーバッグとして、また、紐の最短時にはハンドバッグとしてそれぞれの用途で快適、安全に使用できることを特徴とする多機能防犯リュックサック。【選択図】  図１
2006326250.tif 000002
【特許請求の範囲】
【請求項１】
リュックサックの開口部を、背負った際に背中と接面するバッグ本体の背面部のみに設け、バッグ本体の正面部には一切の出し入れ口などを設けず、かつ、背負い紐には長さ調節機構を設け、紐の最長時にはリュックサックやショルダーバッグとして、また、紐の最短時にはハンドバッグとしてそれぞれの用途で快適、安全に使用できることを特徴とする多機能防犯リュックサック。
【発明の詳細な説明】
【技術分野】
【０００１】  本発明は、通学や通勤時、また旅行や買い物などで日常使用されるリュックサックに、スリなどに対する防犯機能を持たせ、かつ、一つのリュックサックを三通りに使用できるように背負い紐に長さ調節機構を設けた、多機能防犯リュックサックに関するものである。
【背景技術】
【０００２】  一般に従来のリュックサックは、バッグ本体の正面部、もしくは上部に出し入れ用の開口部が設けられており、背負った際に前記開口部は使用者の死角になっていた。
また、中身の出し入れを頻繁に行う場合には背負わずに、リュックサックの肩紐を腕や片方の肩に掛けて持ち運んでいた。さらに、従来の多機能リュックサックなどは、用途によって個別の紐があり交換作業が必要であったり、手提げ紐を着脱するなどして使用していた。
【発明の開示】
【発明が解決しようとする課題】
【０００３】  そのために、次のような問題点があった。
（イ）リュックサックを背負った際、開口部は常に使用者の死角となるため、開口部を閉め忘れて、中身を落としても気付かなかったり、また、開口部が外側にさらされているのでスリなどの被害に遭いやすかった。
（ロ）リュックサックを背負わずに持ち運ぶ際、背負い紐をハンドバッグのように腕に引っ掛けたり、ショルダーバッグのように片方の肩に掛けていたが、リュックサックは背負うための特有の形状をしており、ハンドバッグやショルダーバッグとしては見栄えが悪く、使い勝手も良いとは言えなかった。また、背負い鞄と手提げ鞄兼用の多機能バッグなどは用途別に個別の紐の着脱作業が必要で手間がかかったり、複数の紐を装着するので、そのデザイン性やファッション性に欠けていた。
本発明は、以上の問題点を解決するためになされたものである。
【課題を解決するための手段】
【０００４】  リュックサックの開口部を、背負った際に背中と接面するバッグ本体の背面部のみに設け、バッグ本体の正面部には一切の出し入れ口などを設けず、かつ、背負い紐には長さ調節機構を設け、紐の最長時にはリュックサックやショルダーバッグとして、また、紐の最短時にはハンドバッグとしてそれぞれの用途で快適、安全に使用できる。以上を特徴とする多機能防犯リュックサックである。
【発明の効果】
【０００５】  リュックサックとして背負った際に、中身を出し入れするための開口部が背中と接面したバッグ本体の背面部のみに設けられており、使用者本人の背後にあって死角となるバッグ本体の正面部には一切の出し入れ口などを設けない構造にすることで、背負っての使用中もバッグ本体の開口部が外側にさらされず、また、前記開口部は背中と接面しているため、外部の者が使用者に気付かれずに開口部から中身を持ち出す事は容易でなく、スリなどの被害を防ぐ事ができる。
さらに、バッグ本体の正面部に一切の出し入れ口が存在しないことで、正面部を底部として使用することが可能になる。従って、ハンドバッグやショルダーバッグとして使用する際、バッグ本体の背面部に位置する開口部を上方に向けて持っても、バッグ本体の正面部は完全にバッグ本体の底部になりうる構造であり、中身の出し入れや持ち運びに支障はない。背負い紐の長さを自在に調節するだけで、容易にハンドバッグやショルダーバッグとしても使用可能となる。個別の紐を着脱する必要が無く、バッグ本体は常にシンプルな外観を維持し、各々のバッグとしての使用状態においてデザイン性やファッション性が高い。
【発明を実施するための最良の形態】
【０００６】  以下、添付図案に従って本発明の実施の形態を説明する。
【実施例１】
【０００７】（イ）リュックサックのバッグ本体（１）は、図１と図２に示したような形状で、背面部（１ａ）、正面部（１ｂ）、側面部（１ｃ）によってその全側面を構成されている。
（ロ）図１に示したように、中身を出し入れするための開口部（２）は背面部（１ａ）のみに設けられており、図２に示した正面部（１ｂ）には一切の出し入れ口を設けない。
（ハ）背負い紐（３）は平らなベルト状で両肩で背負えるよう２本設けられ、長さを調節出来る長さ調節機構（４）を備えている。
（ニ）実施例１では、長さ調節機構（４）は、バックル（４ａ）とフレーム（４ｂ）を用いており、背負い紐（３）の一方の端はバッグ本体（１）に縫い付けてあり、もう一方の端は先にバックル（４ａ）に通したのち、フレーム（４ｂ）を介してバック本体（１）に縫合する。これによって、バックル（４ａ）のスライド動作と共に、フレーム（４ｂ）に通された背負い紐（３）が摺動する構造である。
本発明は以上のような構成よりなっている。
これをリュックサックとして背負って使用する時は、バックル（４ａ）をスライドさせて背負い紐（３）を長めに調節し、図５のように各々腕を通して背面に背負う。また、背負い紐（３）の長さは使用者の体格や好みに合わせて調節をする。
図５に示されたように背負った際、バッグ本体（１）の開口部（２）は背中と接面しており外部にさらされることはなく、また、正面部（１ｂ）は全面が覆われているため外部からの中身取り出しは不可能である。従来のリュックサックも同様であるが、使用者本人がバッグの中身を出し入れする時は、一旦背中よりおろして開口部（２）を開閉して行う。
また、背負い紐（３）が長めに調節されている時、二本の背負い紐（３）を束ねて一方の肩に掛け、ショルダーバッグとして使用する。
次に、図６に示したようにハンドバッグもしくは手提げバッグとして使用する時は、バックル（４ａ）をスライドさせて背負い紐（３）を好みに応じて短く調節する。中身の出し入れの際は、図３に示したように、背面部（１ａ）を上方に向けて、正面部（１ｂ）を底部にして置くことができる。正面部（１ｂ）を底部にしても、使用上なんら支障はない。
いずれの用途でも、別個の紐や付属品を用いることなく調節可能で、デザイン性とファッション性を保ちつつ、容易に用途を変更でき、かつ、快適に使用できる。
【実施例２】
【０００８】  本発明のバッグ本体（１）、背負い紐（３）、長さ調節機構（４）の形状や材質は任意である。例えば図７のように、バッグ本体の素材を綿入りの布製にし、形状は楕円形、かつ、背負い紐が革製の一本のみのデザインで、その長さ調節機構をベルトのバックル式にしたとする。前述の構成のバッグでも、背負い紐に片方の肩を通し背負うことが可能で多機能防犯リュックサックとして使用できる。
【実施例３】
【０００９】  本発明の実施例１と実施例２において、リュックサックの外観の状態を説明しているが、バッグ本体（１）の内部についての実施例として、図８で示したように、内部に仕切り、もしくは個別の独立した空間を設け、各々の空間の開口部側に蓋部（ファスナー、巾着、ボタン、両面ファスナーなど）を設けることにより、それぞれの用途での使用中に中身が乱雑になることを最小に防ぐことができる。万が一、開口部（２）を閉め忘れて背中に背負っても蓋部を閉めていれば中身を外部に散乱させることを防げる。
【図面の簡単な説明】
【００１０】
【図１】本発明の実施例１の背面部側斜視図
【図２】本発明の実施例１の正面部側斜視図
【図３】本発明の実施例１の背面部を上方向に置いた状態の斜視図
【図４】本発明の実施例１の正面図
【図５】本発明の実施例１の使用状態を示す斜視図
【図６】本発明の実施例１の使用状態を示す斜視図
【図７】本発明の実施例２の斜視図
【図８】（イ）は本発明の実施例３の斜視図、（ロ）は実施例３における本体の開口部を開いた斜視図
【符号の説明】
【００１１】    １    バッグ本体
１ａ  背面部
１ｂ  正面部
１ｃ  側面部
２    開口部
３    背負い紐
４    長さ調節機構
４ａ  バックル
４ｂ  フレーム
【図１】
2006326250.tif 000003
【図２】
2006326250.tif 000004
【図３】
2006326250.tif 000005
【図４】
2006326250.tif 000006
【図５】
2006326250.tif 000007
【図６】
2006326250.tif 000008
【図７】
2006326250.tif 000009
【図８】
2006326250.tif 000010